(57)【特許請求の範囲】
【請求項１】
デュアルモード無線基地局であって、
前記デュアルモード無線基地局は、周波数分割複信（ＦＤＤ）動作モード及び時分割複信（ＴＤＤ）動作モードをサポートするように構成され、
前記デュアルモード無線基地局は、
（１）（ａ）前記デュアルモード無線基地局が前記ＦＤＤ動作モードで動作し及び（ｂ）前記デュアルモード無線基地局が前記ＴＤＤ動作モードで動作している間に機能性を提供するよう各々が構成される第１のコンポーネントのセットと、（２）（ａ）前記デュアルモード無線基地局が前記ＦＤＤ動作モードで動作している間にのみ又は（ｂ）前記デュアルモード無線基地局が前記ＴＤＤ動作モードで動作している間にのみ機能性を提供するよう各々が構成される第２のコンポーネントのセットと、を含むベースバンドユニットと；
（１）（ａ）前記デュアルモード無線基地局が前記ＦＤＤ動作モードで動作し及び（ｂ）前記デュアルモード無線基地局が前記ＴＤＤ動作モードで動作している間に機能性を提供するよう各々が構成される第３のコンポーネントのセットと、（２）（ａ）前記デュアルモード無線基地局が前記ＦＤＤ動作モードで動作している間にのみ又は（ｂ）前記デュアルモード無線基地局が前記ＴＤＤ動作モードで動作している間にのみ機能性を提供するよう各々が構成される第４のコンポーネントのセットと、を含む無線ユニットと；
前記無線ユニットに結合される前記ＦＤＤ動作モードのための１つ以上のアンテナ要素と；
前記無線ユニットに結合される前記ＴＤＤ動作モードのための１つ以上のアンテナ要素と；
を備え、
前記デュアルモード無線基地局は、前記ＦＤＤ動作モード及び前記ＴＤＤ動作モードを同時にサポートする二重モードにおいても動作可能である、
デュアルモード無線基地局。
【請求項２】
前記第１のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間に電力を提供するように構成される電源ユニットを備える、請求項１に記載のデュアルモード無線基地局。
【請求項３】
前記第１のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間にメディアアクセス制御データ及び／又は無線リンク制御データを処理するように構成される処理ユニットを備える、請求項１又は請求項２に記載のデュアルモード無線基地局。
【請求項４】
前記第３のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間に信号を増幅するのに使用されるように構成される増幅器を備える、請求項１〜３のいずれか一項に記載のデュアルモード無線基地局。
【請求項５】
前記第１のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間に制御チャネルを処理するように構成されるディジタル信号プロセッサを備える、請求項１〜４のいずれか一項に記載のデュアルモード無線基地局。
【請求項６】
前記第３のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間にベースバンド信号を無線周波数信号に変換するのに使用されるように構成される送信ユニットを備える、請求項１〜５のいずれか一項に記載のデュアルモード無線基地局。
【請求項７】
前記第２のコンポーネントのセットは、前記デュアルモード無線基地局が前記ＴＤＤ動作モードで動作している間にのみ使用されるように構成されるディジタル信号プロセッサを備える、請求項１〜６のいずれか一項に記載のデュアルモード無線基地局。
【請求項８】
前記デュアルモード無線基地局が前記ＴＤＤ動作モードで動作している間にのみ使用されるように構成される前記ディジタル信号プロセッサは、前記ＴＤＤ動作モードにおいてのみ適用可能なフレーム構造のある所定のサブフレームを処理するように構成される、請求項７に記載のデュアルモード無線基地局。
【請求項９】
前記第２のコンポーネントのセットは、前記デュアルモード無線基地局が前記ＴＤＤ動作モードで動作している間にのみ使用されるように構成される全地球測位システム（ＧＰＳ）タイミングソースを備える、請求項１〜８のいずれか一項に記載のデュアルモード無線基地局。
【請求項１０】
前記第４のコンポーネントのセットは、前記デュアルモード無線基地局が前記ＴＤＤ動作モードで動作している間にのみ使用されるように構成される送受信機スイッチを備える、請求項１〜９のいずれか一項に記載のデュアルモード無線基地局。
【請求項１１】
デュアルモード無線基地局を運用する方法であって、
前記デュアルモード無線基地局は、周波数分割複信（ＦＤＤ）動作モード及び時分割複信（ＴＤＤ）動作モードをサポートするように構成され、
前記デュアルモード無線基地局は、（Ａ）（１）第１のコンポーネントのセット及び（２）第２のコンポーネントのセットを含むベースバンドユニットと、（Ｂ）（１）第３のコンポーネントのセット及び（２）第４のコンポーネントのセットを含む無線ユニットと、前記無線ユニットに結合される前記ＦＤＤ動作モードのための１つ以上のアンテナ要素と、前記無線ユニットに結合される前記ＴＤＤ動作モードのための１つ以上のアンテナ要素と、を備え、
前記方法は、
前記デュアルモード無線基地局が前記ＦＤＤ動作モードで動作している間に前記第１のコンポーネントのセット及び前記第３のコンポーネントのセットを使用するステップと；
前記デュアルモード無線基地局が前記ＴＤＤ動作モードで動作している間に前記第１のコンポーネントのセット及び前記第３のコンポーネントのセットを使用するステップと；
前記デュアルモード無線基地局が前記ＴＤＤ動作モードで動作している間にのみ前記第２のコンポーネントのセット及び前記第４のコンポーネントのセットを使用するステップと
を含み、
前記デュアルモード無線基地局は、前記ＦＤＤ動作モード及び前記ＴＤＤ動作モードを同時にサポートする二重モードにおいても動作可能である、
方法。
【請求項１２】
前記第１のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間に電力を提供するように構成される電源ユニット備える、請求項１１に記載の方法。
【請求項１３】
前記第１のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間にメディアアクセス制御データ及び／又は無線リンク制御データを処理するように構成される処理ユニットを備える、請求項１１又は請求項１２に記載の方法。
【請求項１４】
前記第３のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間に信号を増幅するのに使用されるように構成される増幅器を備える、請求項１１〜１３のいずれか一項に記載の方法。
【請求項１５】
前記第１のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間に制御チャネルを処理するように構成されるディジタル信号プロセッサを備える、請求項１１〜１４のいずれか一項に記載の方法。
【請求項１６】
前記第３のコンポーネントのセットは、（ａ）前記デュアルモード無線基地局が前記ＦＤＤ動作モードで動作している間及び（ｂ）前記デュアルモード無線基地局が前記ＴＤＤ動作モードで動作している間にベースバンド信号を無線周波数信号に変換するのに使用されるように構成される送信ユニットを備える、請求項１１〜１５のいずれか一項に記載の方法。
【請求項１７】
前記第２のコンポーネントのセットは、前記デュアルモード無線基地局が前記ＴＤＤ動作モードで動作している間にのみ使用されるように構成されるディジタル信号プロセッサを備える、請求項１１〜１６のいずれか一項に記載のデュアルモード無線基地局。
【請求項１８】
前記デュアルモード無線基地局が前記ＴＤＤ動作モードで動作している間にのみ使用されるように構成される前記ディジタル信号プロセッサは、前記ＴＤＤ動作モードにおいてのみ適用可能なフレーム構造のある所定のサブフレームを処理するように構成される、請求項１７に記載のデュアルモード無線基地局。
【請求項１９】
前記第２のコンポーネントのセットは、前記デュアルモード無線基地局が前記ＴＤＤ動作モードで動作している間にのみ使用されるように構成されるタイミングソースを備える、請求項１１〜１８のいずれか一項に記載のデュアルモード無線基地局。
【請求項２０】
前記第４のコンポーネントのセットは、前記デュアルモード無線基地局が前記ＴＤＤ動作モードで動作している間にのみ使用されるように構成される送受信機スイッチを備える、請求項１１〜１９のいずれか一項に記載のデュアルモード無線基地局。
【発明の詳細な説明】
【技術分野】
【０００１】
本発明は、無線基地局に関する。
【背景技術】
【０００２】
ＬＴＥ（Long  Term  Evolution）は、３ＧＰＰ（3rd  generation  partnership  project）による最新の標準化作業に与えられた名称である。ＬＴＥは、フラット化されたネットワークアーキテクチャを採用している。例えば、無線アクセスネットワーク（ＲＡＮ：radio  access  network）は、無線基地局（ＲＢＳ：radio  base  station）を含むが、無線ネットワークコントローラ（ＲＮＣ：radio  network  controller）を含まない。ＬＴＥ  ＲＢＳは、ｅＮＢ（evolved  node-B）とも呼ばれ、ＬＴＥ  ＲＡＮの重要なコンポーネントである。
【０００３】
ＬＴＥは、２つの動作モードをサポートしている：（１）ペアリングされ及びペアリングされない周波数帯上の構成のための、周波数分割複信（ＦＤＤ：Frequency  Division  Duplex）及び時分割複信（ＴＤＤ：Time  Division  Duplex）である。これら２つのモードについて、基本的な違いは、物理レイヤの中にある（例えば、物理レイヤのフレーム構造）。３ＧＰＰにおいて、ＦＤＤはフレーム構造タイプ１（ＦＳ１）を使用し；ＴＤＤはフレーム構造タイプ２（ＦＳ２）において動く。しかしながら、物理レイヤよりも上のレイヤ（例えば、メディアアクセス制御（ＭＡＣ：media  access  control）レイヤ及びより上位のレイヤ）は、ＦＤＤ及びＴＤＤの双方について同一である。即ち、２つの動作モードの間でシグナリングのほとんど（例えば、９０％以上）は同様である。
【０００４】
これらフレーム構造の２つのタイプについて、基本的な違いは、ＦＳ２が周期的に５ｍｓ又は１０ｍｓのうち１ｍｓに特別なサブフレームを有していることである。原理上は、この特別なサブフレームは、ＴＤ−ＳＣＤＭＡのフレーム構造から承継されている。３つの特別なタイムスロット（ＤｗＰＴＳ，ＧＰ，ＵｐＰＴＳ）は、当該特別な１ｍｓのサブフレーム内に位置しており、セルサーチ及び無線アクセスなどのために使用される。
【発明の概要】
【発明が解決しようとする課題】
【０００５】
たとえＦＤＤがほとんどのシステムにおける主動作モードになるとしても、ＴＤＤ動作モードもまたいくつかの重要なネットワーク事業者よって高く評価されることになるであろう。前述のように、ｅＮＢはＬＴＥ  ＲＡＮの中核である。標準的な互換性及びネットワークエンティティ統合の視点から見ると、ＦＤＤ動作モード及びＴＤＤ動作モードの双方が１つのモードにおいて実施されることが期待される。しかし、ＦＤＤに必要なコンポーネント及びＴＤＤに必要なコンポーネントの双方を１つのｅＮＢキャビネットに含めることに関して解決される必要のあるいくつかの難しい問題がある。
【課題を解決するための手段】
【０００６】
本発明の態様は、ＦＤＤ動作モード及びＴＤＤ動作モードを１つのｅＮＢモードにおいて実施するための解決策を提供する。一態様において、本発明は、デュアルモードｅＮＢを提供する。いくつかの実施形態において、デュアルモード無線基地局は、ＦＤＤ動作モード及びＴＤＤ動作モードをサポートするように構成される。デュアルモード基地局はベースバンドユニット（ＢＵ：base-band  unit）及び無線ユニット（ＲＵ：radio  unit）を含み得る。ベースバンドユニットは、（１）（ａ）デュアルモード基地局がＦＤＤ動作モードで動作し及び（ｂ）デュアルモード基地局がＴＤＤ動作モード動作している間に機能性を提供するよう各々が構成される第１のコンポーネントのセットと、（２）（ａ）デュアルモード基地局がＦＤＤ動作モードで動作している間にのみ又は（ｂ）デュアルモード基地局がＴＤＤ動作モードで動作している間にのみ機能性を提供するよう各々が構成される第２のコンポーネントのセットとを含み得る。無線ユニットは、（１）（ａ）デュアルモード基地局がＦＤＤ動作モードで動作し及び（ｂ）デュアルモード基地局がＴＤＤ動作モードで動作している間に機能性を提供するよう各々が構成される第３のコンポーネントのセットと、（２）（ａ）デュアルモード基地局がＦＤＤ動作モードで動作している間にのみ又は（ｂ）デュアルモード基地局がＴＤＤ動作モードで動作している間にのみ機能性を提供するよう各々が構成される第４のコンポーネントのセットとを含み得る。好ましくは、デュアルモードｅＮＢがある特定のモードで動作するように構成されると、ＢＵ及びＲＵの双方も、ＢＵ及びＲＵが整合されるように、その同じ特定のモードで動作するように構成される。
【０００７】
いくつかの実施形態において、第１のコンポーネントのセットは、（ａ）デュアルモード基地局がＦＤＤ動作モードで動作している間及び（ｂ）デュアルモード基地局がＴＤＤ動作モードで動作している間に電力を提供するように構成される電源ユニットを含む。いくつかの実施形態において、第１のコンポーネントのセットは、（ａ）デュアルモード基地局がＦＤＤ動作モードで動作している間及び（ｂ）デュアルモード基地局がＴＤＤ動作モードで動作している間にメディアアクセス制御データ及び／又は無線リンク制御データを処理するように構成される処理ユニットも含む。さらに別の実施形態において、第１のコンポーネントのセットは、（ａ）デュアルモード基地局がＦＤＤ動作モードで動作している間及び（ｂ）デュアルモード基地局がＴＤＤ動作モードで動作している間に制御チャネルを処理するように構成されるディジタル信号プロセッサを含み、第３のコンポーネントのセットは、（ａ）デュアルモード基地局がＦＤＤ動作モードで動作している間及び（ｂ）デュアルモード基地局がＴＤＤ動作モードで動作している間に信号を増幅するのに使用されるように構成される増幅器と、（ａ）デュアルモード基地局がＦＤＤ動作モードで動作している間及び（ｂ）デュアルモード基地局がＴＤＤ動作モードで動作している間にベースバンド信号を無線周波数信号に変換するのに使用されるように構成される送信ユニットとを含む。
【０００８】
いくつかの実施形態において、第２のコンポーネントのセットは、デュアルモード基地局がＴＤＤ動作モードで動作している間にのみ使用されるように構成されるディジタル信号プロセッサを備える。ディジタル信号プロセッサは、ＴＤＤ動作モードにおいてのみ適用可能なフレーム構造のある所定のサブフレーム（例えば、３ＧＰＰにおいて定義されているＦＳ２における特別なサブフレーム）を処理するように構成され得る。いくつかの実施形態において、第２のコンポーネントのセットは、デュアルモード基地局がＴＤＤ動作モードで動作している間にのみ使用されるように構成されるタイミングソース（例えば、ＧＰＳタイムソース）も含む。
【０００９】
いくつかの実施形態において、第４のコンポーネントのセットは、デュアルモード基地局がＴＤＤ動作モードで動作している間にのみ使用されるように構成される送受信機スイッチを含む。
【００１０】
別の態様において、本発明は、周波数分割複信（ＦＤＤ）動作モード及び時分割複信（ＴＤＤ）動作モードをサポートするように構成されるデュアルモード無線基地局を運用する方法を提供し、デュアルモード無線基地局は、（１）第１のコンポーネントのセット及び（２）第２のコンポーネントのセットを含む（Ａ）ベースバンドユニットと、（Ｂ）（１）第３のコンポーネントのセット及び（２）第４のコンポーネントのセットを含む無線ユニットとを備える。いくつかの実施形態において、この方法は、デュアルモード基地局がＦＤＤ動作モードで動作している間に第１のコンポーネントのセット及び第３のコンポーネントのセットを使用するステップと；デュアルモード基地局がＴＤＤ動作モードで動作している間に第１のコンポーネントのセット及び第３のコンポーネントのセットを使用するステップと；デュアルモード基地局がＴＤＤ動作モードで動作している間にのみ第２のコンポーネントのセット及び第４のコンポーネントのセットを使用するステップとを含む。
【００１１】
上記及びその他の態様及び実施形態を以下で添付の図面を参照して説明する。
【図面の簡単な説明】
【００１２】
添付の図面は、本明細書に組み込まれ、本明細書の一部を形成し、本発明の様々な実施形態を例示し、説明と相まって、本発明の原理を説明し、当業者が本発明を実施し、使用することを可能にするためにさらに使用されるものである。図面において、類似の参照符号は同一の又は機能的に同様の要素を示すものである。
【００１３】
【図１】本発明の一実施形態によるネットワークの一部を示す機能ブロック図である。
【図２】本発明の一実施形態による基地局の一部を示す機能ブロック図である。
【図３】別の実施形態による基地局を示す機能ブロック図である。
【図４】本発明のいくつかの実施形態によるプロセスを示すフローチャートである。
【発明を実施するための形態】
【００１４】
次に図１を参照すると、図１には、通信ネットワーク１００の一部が示されている。図示のように、ネットワーク１００は、コアネットワーク１２０とインターフェースされている基地局１０４（例えばｅＮＢ）と通信する移動端末１０２（「ユーザ端末（ＵＥ）」ともいう）を含む。本発明の態様は、ｅＮＢ１０４においてＦＤＤ動作モード及びＴＤＤ動作モードを実施するための解決策を提供する。即ち、ｅＮＢ１０４は、ＦＤＤ動作モード及びＴＤＤ動作モードをサポートするように構成されるデュアルモード基地局である。
【００１５】
典型的には、ｅＮＢ１０４のハードウェアは、ベースバンドユニット（ＢＵ）１０８及び無線ユニット（ＲＵ）１０６を含む。これらの２つのユニットは、１つの物理キャビネットに統合され得る。ＲＵがＢＵから離れて位置するとき、ＲＵはリモートＲＵ（ＲＲＵ：remote  RU）と呼ばれることもある。
【００１６】
一般に、ＢＵ１０８は、ベースバンド信号を処理するための、ディジタル信号プロセッサ（ＤＳＰ）といったプロセッサユニット、エアインターフェース・プロトコル・スタックにおけるＭＡＣレイヤ以上のレイヤの処理のための処理ユニット（例えばＰｏｗｅｒＰＣ）、タイミングユニット、無線ユニットインターフェース（ＲＵＩＦ：radio  unit  interface）、メインプロセッサなどからなる。一般に、ＲＵ１０６は、送信機／受信機（ＴＲｘ）ボード、フィルタユニット（ＦＵ：filter  unit）、電力増幅器（ＰＡ：power  amplifier）などからなる。
【００１７】
前述のＢＵ１０８及びＲＵ１０６のコンポーネントの中のほとんどは、ＦＤＤ動作モード及びＴＤＤ動作モード双方について同一である。したがって、いくつかの実施形態において、ＢＵ１０８は、（１）（ａ）デュアルモード基地局がＦＤＤ動作モードで動作している間及び（ｂ）デュアルモード基地局がＴＤＤ動作モードで動作している間に機能性を提供するよう各々が構成されるコンポーネントのセットと；（２）（ａ）デュアルモード基地局がＦＤＤ動作モードで動作している間にのみ又は（ｂ）デュアルモード基地局がＴＤＤ動作モードで動作している間にのみ機能性を提供するよう各々が構成されるコンポーネントのセットとを含む。同様に、ＲＵ１０６も、（１）（ａ）デュアルモード基地局がＦＤＤ動作モードで動作している間及び（ｂ）デュアルモード基地局がＴＤＤ動作モードで動作している間に機能性を提供するよう各々が構成されるコンポーネントのセットと；（２）（ａ）デュアルモード基地局がＦＤＤ動作モードで動作している間にのみ又は（ｂ）デュアルモード基地局がＴＤＤ動作モードで動作している間にのみ機能性を提供するよう各々が構成されるコンポーネントのセットとを含む。
【００１８】
この特徴が図１に示されており、図１には、ＦＤＤコンポーネントのセット（即ち、基地局１０４がＦＤＤ動作モードで動作しているときにのみ使用されるコンポーネント）、ＴＤＤコンポーネントのセット（即ち、基地局１０４がＴＤＤ動作モードで動作しているときにのみ使用されるコンポーネント）、及びＦＤＤ／ＴＤＤコンポーネントのセット（即ち、基地局１０４がＦＤＤモードであり及びＴＤＤモードにある間に使用されるコンポーネント）を有するＢＵ１０８が示されている。同様に、図１には、ＦＤＤコンポーネントのセット、ＴＤＤコンポーネントのセット、及びＦＤＤ／ＴＤＤコンポーネントのセットを有するＲＵ１０６も示されている。
【００１９】
次に図２を参照すると、図２には、本発明の一実施形態によるＢＵ１０８及びＲＵ１０６がさらに示されている。図２に示すように、ＢＵ１０８は、ＤＳＰ、タイミング回路２０４（例えば、全地球測位システム（ＧＰＳ）信号を受信するための回路）、電源ユニット（ＰＵ）、処理ユニット（例えば、ＰｏｗｅｒＰＣ処理ユニット）、並びに他のコンポーネントを含み得る。同様に、ＲＵ１０６も、無線周波数（ＲＦ）較正コンポーネント、フィルタユニット（ＦＵ）、電力増幅器（ＰＡ）及び低雑音増幅器（ＬＮＡ：low  noise  amplifier）、送信機／受信機（ＴＲｘ）ユニット、スイッチ、並びに電源ユニット（ＰＵ）を含み得る。
【００２０】
前述のように、ＢＵ１０８のコンポーネントのいくつかは、基地局１０４がＦＤＤ動作モードであるときにのみ使用され、ＢＵ１０８のコンポーネントのいくつかは、基地局１０４がＴＤＤ動作モードであるときにのみ使用され、ＢＵ１０８のコンポーネントのいくつかは、両方の動作モードにおいて使用される。例えば、ＴＤＤモードは、ＴＤＤシステムにとって特にＵＬ／ＤＬ切り換え点において致命的となるｅＮＢ間同期（inter-eNB  synchronization）を回避するために、ｅＮＢの間でのより正確なタイミング整合を必要とするため、ＴＤＤモードではタイミングコンポーネント２０４（例えば、ＧＰＳカード）が必要とされるが、これはＦＤＤモードではオプションにすぎない。加えて、前述のように、フレーム構造におけるＦＤＤ及びＴＤＤの基本的な相違点はその特別なサブフレームである。したがって、ＤＳＰ２０２は、特別なサブフレームの処理専用に用いられ得る。即ち、ＤＳＰ２０２は、ＴＤＤ動作モードのためにのみ必要とされる。ＦＤＤモードとＴＤＤモードの間で共用され得るＢＵ１０８のコンポーネントには、例えば、コンポーネントのための電力を提供するＰＵ；物理トラフィック及び制御チャネルにおけるデータ処理のためのＤＳＰ；ＭＡＣ、ＲＬＣ以上のレイヤ、シグナリングなどの処理に使用されるＰｏｗｅｒＰＣ；並びに他のボード、例えば、ＢＵ１０８内のユニットの間のインターフェース、ＲＵ１０６へのインターフェース、システムタイミング分配ユニットなどが含まれる。
【００２１】
同様に、前述のように、ＲＵ１０６のコンポーネントのいくつかは、基地局１０４がＦＤＤ動作モードであるときにのみ使用され、ＲＵ１０６のコンポーネントのいくつかは、基地局１０４がＴＤＤ動作モードのときにのみ使用され、ＲＵ１０６のコンポーネントのいくつかは、両方の動作モードで使用される。例えば、図２の塗りつぶされたコンポーネント（即ち、コンポーネント２０６、２０８、及び２１０）は、一方の動作モードでは必要とされ得るが、他方のモードでは必要とされないコンポーネントである。ＦＤＤモードとＴＤＤモードの間で共用され得るＲＵ１０８のコンポーネントには、例えば、送信及び受信のベースバンド信号と無線周波数信号の間の変換に使用されるＴＲｘ、並びにＰＡ及びＬＮＡが含まれる。
【００２２】
上記に基づいて、２つのモードのｅＮＢには、ＦＤＤコンポーネント及びＴＤＤコンポーネントが併せてインストールされている。２つのモードのｅＮＢは、再使用可能なユニット及び別個のユニットの両方を含む。再使用可能なユニットについては、ＦＤＤ及びＴＤＤ両方の構成の下で働く。別個のユニットについては、対応するユニットだけがＦＤＤ構成又はＴＤＤ構成の下で有効化される。
【００２３】
必要とされる前提条件が満たされる（例えば、事業者がＦＤＤ及びＴＤＤ双方のライセンスを有する）場合、２つのモードのｅＮＢは、ＦＤＤモード及びＴＤＤモードを同時にサポートすることができ、これを「二重モード」と呼ぶ。再使用可能なユニットは、ＦＤＤ及びＴＤＤの同時の動作には十分であるが、ＦＤＤ及びＴＤＤのための別個の無線チャネル及びアンテナ要素がある。これが図３に示されており、図３には、二重動作モードにおけるｅＮＢ１０４が示されている。図３に示すように、ｅＮＢ１０４は、２つのアンテナ要素３３１若しくは３３２、又は、それぞれ、ＦＤＤモード及びＴＤＤモードのための１グループ当たり複数のアンテナ要素が含まれるアンテナグループを含み得る。アンテナ要素／グループ３３１にはＦＤＤのみのコンポーネント３０２が結合され、アンテナ要素／グループ３３２にはＴＤＤのみのコンポーネント３０４が結合されている。しかし、ベースバンド処理以上は同様であるため、ＦＤＤコンポーネント３０２及びＴＤＤコンポーネント３０４はどちらも、共通のコンポーネント３０６に結合されている。
【００２４】
２つのモードのｅＮＢ１０４は、ＦＤＤ／ＴＤＤ／Ｂモードの下で働き、セルセットアップの間に運用管理（Ｏ＆Ｍ：Operation  &  Maintenance）事業者によって両モードを切り換えることができる。２つのモードのｅＮＢ１０４は、ＦＤＤ／ＴＤＤ／二重モードにあるときのネットワークアーキテクチャにおける機能エンティティと同じ役割とすべきであり、例えば、図３に示すように、２つのモードのｅＮＢ１０４は、ＳＡＥ（System  Architecture  Evolution）ベースのＥＰＳ（Evolved  Packet  core  System）並びにケーブル及びアンテナ要素のようなサイト機材に連結されている必要がある。
【００２５】
ネットワークのプランニング及び最適化
【００２６】
様々な用途要件について、ｅＮＢ１０４の規模は、（１）統合装置又はＢＵ＋ＲＵ構造におけるマクロセル、（２）強力なデータ処理機能を備えるスーパーｅＮＢを使用したマイクロセル、（３）リピータ又はリレーによる屋内セル、及び（４）フェムトセル、のためのものとすることができる。通常は、ＦＤＤモード及びＴＤＤモードは、別々に働く。しかし、理論的には、２つのモードが同時に働くときには、いくつかのサービスをＦＤＤモードのみによってサポートし、他のサービスをＴＤＤモードのみによってサポートすることができる（例えば、ＵＬ及びＤＬにおける非対称の及び／又は様々な伝送帯域幅を必要とする用途）。これは、対応する二重モードを使用して、サービス対称性をマッチさせる可能性を提供する。ＦＤＤは対称なサービスに適し、異なるＵＬ及びＤＬスロット方向設定下のＴＤＤは、非対称なサービスに適し得る。２つのモードのＬＴＥ  ＲＢＳは、１つまたは複数の事業者にサービスすることができる。（ｅＮＢ共用モード）。また、２つのモードのＬＴＥ  ＲＢＳを、同一の又は異なるサイト機材、例えば、ケーブル及びアンテナ要素に連結することもできる。
【００２７】
次に図４を参照すると、図４には、本発明の一実施形態によるプロセスが示されている。このプロセスは、ｅＮＢ１０４が構成コマンドを受け取るステップ４０２から開始し得る。例えば、ｅＮＢ１０４は、運用管理（Ｏ＆Ｍ）システムから構成コマンドを受け取り得る。ステップ４０４で、構成コマンドに基づき、ｅＮＢ１０４は、ＴＤＤモードで動作すべきかそれともＦＤＤモードで動作すべきか決定する。他の実施形態においては、ｅＮＢ１０４は、ＴＤＤモードで動作すべきか、ＦＤＤモードで動作すべきか、それとも二重モードで動作すべきか決定する。ｅＮＢ１０４が、ＴＤＤモードで動作すべきであると決定した場合、ｅＮＢ１０４は、第１のコンポーネントのセット及び第２のコンポーネントのセットを使用する（それぞれステップ４０６及びステップ４０８）。ｅＮＢ１０４が、ＦＤＤモードで動作すべきであると決定した場合、ｅＮＢ１０４は、第１のコンポーネントのセット及び第３のコンポーネントのセットを使用する（それぞれステップ４１０及びステップ４１２）。第２のコンポーネントのセットは、第１のコンポーネントのセットにも第３のコンポーネントのセットにも含まれていないコンポーネントを含み、第３のコンポーネントのセットは、第１のコンポーネントのセットにも第２のコンポーネントのセットにも含まれていないコンポーネントを含む。
【００２８】
よって、第２のコンポーネントのセットは、ＴＤＤ動作モードにおいてのみ使用されるように構成されるコンポーネントであり、第３のコンポーネントのセットは、ＦＤＤ動作モードにおいてのみ使用されるように構成されるコンポーネントである。このように、ｅＮＢ１０４は、いくつかのコンポーネントがＦＤＤモードとＴＤＤモードの間で共用されるように構成される。このことはいくつかの利点を提供する。例えばこれは、（１）ｅＮＢの設計、開発及び保守の費用を低減し、（２）研究開発のコストを低減し、（３）装置購入、ネットワーク計画及び最適化の費用を低減することにより事業者に恩恵をもたらし、（４）サイトの調査／設置に恩恵をもたらし得る。
【００２９】
以上、本発明の様々な実施形態を説明したが、これらの実施形態は、限定ではなく例示のために提示するにすぎないことを理解すべきである。よって、本発明の広さ及び範囲は、前述の例示的実施形態のいずれによっても限定されるべきではない。
【００３０】
さらに、前述の、図面に例示されるプロセスは、一連のステップとして示されているが、これはもっぱら例示のためになされたものにすぎない。したがって、いくつかのステップが追加され、いくつかのステップが省略され、各ステップの順序が並べ替えられ得ることが企図されている。
【図１】
0005243615.tif 000002
【図２】
0005243615.tif 000003
【図３】
0005243615.tif 000004
【図４】
0005243615.tif 000005